(57)【特許請求の範囲】
【請求項１】
青色又は紫外光を発する少なくとも１つの光源と、
少なくとも２つのセクションを含んでいる前記青色又は紫外光を可視光に変換する色変換ユニットであって、前記少なくとも２つのセクションのうちの少なくとも１つのセクションは、透明又は半透明の色変換セクションであって、前記色変換ユニットは、前記少なくとも２つのセクションを前記青色又は紫外光によって交互に照明するために配されており、前記少なくとも１つの色変換セクションは発光材料を含んでいる、色変換ユニットと、
を有する有色及び白色光を生成する照明装置において、
前記少なくとも２つのセクションの互いに対向する面の間に、前記少なくとも２つのセクションのうちの一のセクションに入射した光が他のセクションに漏れ出るのを防止するための反射性コーティングを備え、
前記発光材料は、ポリママトリックスにおける発光有機ダイ又は結晶無機発光材料である、照明装置。
【請求項２】
前記光源は発光ダイオードである、請求項１に記載の照明装置。
【請求項３】
前記発光材料は、ポリママトリックスにおける発光有機ダイであり、前記発光有機ダイは、ペリレンテトラ炭酸を含むダイである、請求項１又は２に記載の照明装置。
【請求項４】
前記発光材料は、結晶無機発光材料であり、前記無機発光材料は、単結晶材料としての自身の理論的密度の９７％よりも大きい密度を呈している、請求項１又は２に記載の照明装置。
【請求項５】
前記色変換セクションは、前記青色又は紫外光を緑色に変換すると共に前記結晶無機発光材料としてＳｒＳｉ２Ｏ２Ｎ２：Ｅｕ及び／又はＬｕＡＧ：Ｃｅを含んでいる、又は前記色変換セクションは、前記青色又は紫外光を赤色光に変換すると共に前記結晶無機発光材料としてＣａＳ：Ｅｕ及び／又はＣａＡｌＳｉＮ３：Ｅｕを含んでいる、請求項１乃至４の何れか一項に記載の照明装置。
【請求項６】
前記色変換ユニットは、回転周波数によって回転される回転振動子又は振動周波数によって振動される線形振動子として設計されている、請求項１乃至５の何れか一項に記載の照明装置。
【請求項７】
前記回転振動子は、少なくとも２つの扇形セクションを含む回転周波数によって回転されるべきであるカラーホイールであり、前記少なくとも２つの扇形セクションの少なくとも１つは、透明又は半透明の色変換セクションである、請求項６に記載の照明装置。
【請求項８】
前記カラーホイールは、１回転あたりに２つ以上の色サイクルを実施するための少なくとも４つのセクションを有する、請求項７に記載の照明装置。
【請求項９】
前記線形振動子は、ピエゾアクチュエータ又はソレノイドを有する、請求項６に記載の照明装置。
【請求項１０】
前記光源は、パルス光源であって、前記照明装置は、所望の濃淡の色を生成するように前記パルス光源のパルスパターンを前記色変換ユニットの交流周波数と同期させる電子制御ユニットを更に有している、請求項１乃至９の何れか一項に記載の照明装置。
【請求項１１】
青色又は紫外光を発する少なくとも１つの光源と、少なくとも２つのセクションを有する前記青色又は紫外光を可視光に変換する色変換ユニットであって、前記少なくとも２つのセクションのうちの少なくとも１つのセクションは透明又は半透明色変換セクションであって、前記少なくとも１つの色変換セクションは、発光材料を含んでおり、前記少なくとも２つのセクションの互いに対向する面の間に、前記少なくとも２つのセクションのうちの一のセクションに入射した光が他のセクションに漏れ出るのを防止するための反射性コーティングを備え、前記発光材料は、ポリママトリックスにおける発光有機ダイ又は結晶無機発光材料である、色変換ユニットと、を有する有色及び白色光を生成する方法において、前記少なくとも２つのセクションは前記青色又は紫外光によって交互に照明される、方法。
【請求項１２】
前記光源はパルス光源であり、前記パルス光源のパルスパターンは、所望の濃淡の色を生成するように前記色変換ユニットの交流周波数と同期されている、請求項１１に記載の方法。
【請求項１３】
肌の傷及び肌の疾患であって、特に乾癬の治療のための手段としてのＵＶ光源を有する請求項１に記載の照明装置の使用。
【発明の詳細な説明】
【技術分野】
【０００１】
本特許出願は、有色及び白色光を生成する照明装置、有色及び白色光を生成する方法、及び照明装置の使用に関する。
【背景技術】
【０００２】
従来技術において知られている色調整可能な光源は、ほとんどが、ＬＥＤモジュールに基づくものである。これらのＬＥＤモジュールは、一般に、赤、青色及び緑色の放出、一部の場合においては琥珀色又は各色のための異なるＬＥＤによる更に多くの原色の放出に頼っている。このことは、ＬＥＤチップの数が、少なくとも使用されている原色の数の大きさ程度であることを意味している。通常、種々の色を発するＬＥＤチップは、駆動電流、温度及び他の動作パラメータに対して異なる振る舞いを示す。この不利な点は、色変換された青色又は紫外線のＬＥＤチップ、所謂蛍光体変換ＬＥＤ（ｐｃＬＥＤ）の使用によって克服されることができる。蛍光体変換ＬＥＤは、青色又は紫外線のＬＥＤ光源を有し、前記青色又は紫外線のＬＥＤ光源は発光材料を照明し、前記発光材料は、自身の一部において、前記ＬＥＤの青色又は紫外光を、例えば、緑、黄又は赤色の光のような、長い波長を有する可視光に変換する。このｐｃＬＥＤ装置は、色混合によって所望の色の印象を得るために、異なる色を発する幾つかのｐｃＬＥＤが必要であるという不利な点を更に有する。更に、空間的に離間された光源は、精密な並びを有するかなり複雑な光学部品を必要とする。ｐｃＬＥＤの他の制約は、発光材料の起こり得る飽和であり、ＬＥＤによって発せられる高い光束の場合に、輝度の限界を生じることである。
【０００３】
これらの問題は、特許出願公開第2004-341105号から知られている照明及び表示装置によって部分的に解決される。前記表示装置は、紫外発光ＬＥＤを有しており、前記紫外発光ＬＥＤは、カラーホイールを照明する。照明されている側において、前記カラーホイールは、紫外光に対して透過性を有する可視光反射薄膜によって覆われている。前記カラーホイールは、更に、前記ＬＥＤによって発せられた紫外光を、赤、緑及び青色光に変換する及び散乱させる３つの色変換扇形セクションを有している。前記変換された光は、前記カラーホイールによって光源に向かって散乱され戻され、前記変換された光の大部分が表示機用途に使用されることができるように、前記可視光反射薄膜によって反射される。
【０００４】
前記カラーホイールの使用は、１つの光源は、前記カラーホイールの種々の色変換扇形セクションを、前記光源のビームに循環的に移動させることによって、短い順次のタイムスロットにおいて原色を生成するのに十分であるという有利な点を有する。種々の原色の速い連続は、人間の視覚の慣性により、色混合として知覚される。カラーホイールと一緒に１つのＬＥＤを使用することは、色の印象が、駆動電流、温度及び他のパラメータに対する種々のＬＥＤの同等でない振る舞いに依存しないという有利な点を更に有する。
【発明の開示】
【発明が解決しようとする課題】
【０００５】
しかしながら、特許出願公開第2004-341105号から知られている表示装置は、一方では色変換セクションをフィーチャとする複雑な設計を有するが、他方では可視光反射薄膜を有するという、不利な点を有する。更に、当該ＬＥＤから到来する紫外光は、前記色変換セクションにおいて散乱されるが前記可視光反射薄膜によって部分的に反射されるので、前記ＬＥＤによって発せられた光束の全体が当該表示機の用途に使用されることができるというわけではない。
【０００６】
従って、本発明の目的は、高いスペクトル純度及び安定性を有する何らかの所望の色の有色光、又は高い輝度を有する白色光を生成する照明装置を提供することにある。前記照明装置は、更に、簡単で、従って費用対効果が大きい設計を有する色変換ユニットを有するべきである。本特許出願の他の目的は、高い発光輝度を示す照明装置を提供することにある。
【課題を解決するための手段】
【０００７】
これら及び他の目的は、有色及び白色光を生成する照明装置であって、青色又は紫外光を発する少なくとも１つの光源と、少なくとも２つのセクションを有する前記青色又は紫外光を可視光に変換する色変換ユニットであって、前記少なくとも２つのセクションのうちの少なくとも１つのセクションは、透明又は半透明のセクションであって、前記色変換ユニットは、前記青色又は紫外光によって前記少なくとも２つのセクションを交互に照明するように配されており、前記少なくとも１つのセクションは発光材料を含んでいる、前記色変換ユニットとを有し、前記発光材料は、ポリママトリックスにおける発光有機ダイ又は結晶の無機発光材料である、照明装置によって解決される。
【０００８】
本発明による照明装置の色変換ユニットは、透明発光材料を有しており、前記光源によって発せられた前記紫外又は青色光の高い効率的な色変換を可能にし、当該照明装置の発光効率を減少させるビーム偏向又は散乱を確実に回避する。透明発光材料の使用は、最小限のエタンデュ（etendue）も保証し、前記エタンデュは、スポットライト及び投影用途に重要である。発光材料を有する色変換セクションは、半透明（前記光源によって発せられた光を部分的に透過する、所謂一次光）であるか、又は前記一次光を異なる波長を有する可視光に完全に変換するかの何れかであり得る。
【０００９】
従来の発光材料とは対照的に、ポリママトリックス内の有機ダイ及び結晶無機発光材料は、高い量子効率を特徴としている。照射されたダイ分子又は無機結晶における励起状態の無放射緩和は、あまりありそうでもなく、前記光源によって発せられる照射された光は、ほとんど完全に可視光に変換される。更に、前記色変換ユニットは、表面の特別なコーティングが必要とされないので、簡単で、従って費用対効果が高い設計によって特徴付けられる。
【００１０】
本発明の第１実施例によれば、前記光源は、発光ダイオード（ＬＥＤ）である。ＬＥＤの主な有利な点は、長い耐用年数及び高度のエネルギ効率を持っていることにある。ＬＥＤが発する青色又は紫外光は、市場において容易に利用可能である。１つのＬＥＤのみが使用されているので、従って、前記照明装置によって生成される光の色の印象は、温度及び駆動電流から独立である。
【００１１】
本発明の他の実施例によれば、前記発光有機ダイは、ペリレンテトラ炭酸を有するダイである。これらの革新的な有機ダイは、多種類の色変換特性を有して生成されることができる。これに応じて、前記光源によって発せられた前記青色又は紫外光は、高いスペクトル純度及び輝度を有する多数の色に変換されることができる。
【００１２】
例えば、前記色変換ユニットの少なくとも１つの色変換セクションは、青色又は紫外光を緑色光に変換するように配されることができる。この場合において、前記無機発光材料は、ＳｒＳｉ２Ｏ２Ｎ２:Ｅｕ及び／又はＬｕＡＧ：Ｃｅ（セリウムドープされたルテチウム‐アルミニウム‐ガーネット）を含んでいる。前記色変換ユニットの前記色変換セクションは、前記光源によって発せられた前記青色又は紫外光を赤色光に変換するように配されることもできる。この場合において、前記無機発光材料は、ＣａＳ：Ｅｕ及び／又はＣａＡｌＳｉＮ３：Ｅｕを含んでいる。
【００１３】
更なる実施例において、前記無機発光材料は、前記発光材料を出る前に前記発光材料内で変換される光のより短い光路を生じる前記発光材料内の散乱効果を減少させることによって、照射された前記無機発光材料における励起状態の無放射緩和の量の更なる減少させるために、単結晶材料としての理論上の密度の９７％よりも高い密度を呈する。この高い密度は、この材料の加圧中に高い圧力を印加することによって達成されることができる。
【００１４】
本発明の他の実施例によれば、前記光源は、青色光を発し、前記色変換ユニットは、少なくとも１つの透明セクションを有している。青色発光源（例えば、青色ＬＥＤ）の場合において、光は、完全な色変換が不可欠なものでなくても良いように、色混合のために直接的に使用されることができる。前記透明セクションは、ポリカーボネートのような、ガラス又は透明ポリマから作られることができる。
【００１５】
本発明の他の有利な実施例によれば、前記色変換ユニットは、前記青色又は紫外光を赤、緑及び青色光に周期的に変換するように配されている３つのセクションを有している。前記原色の赤、緑及び青色を生成することによって、本発明による照明装置は、広いスペクトルの色を生成するのに使用されることができ、特に、照明又は表示機用途に使用されることができる。ＵＶ光源の場合において、前記色変換ユニットは、透明セクションと、ＵＶ光をそれぞれ黄色光及び青色光に変換するように配されている２つの色変換セクションとを有していても良い。青色光源の場合、前記色変換ユニットは、透明セクションと、前記青色光をそれぞれ赤色光及び緑色光に変換するように配されている２つの色変換セクションとを有していても良い。青色光源の場合、色変換ユニットは、２つのセクションを有しているのみでも良く、前記２つのセクションのうちの一方は、透明又は半透明セクションであり、前記２つのセクションのうちの他方は、前記青色光を黄色光に変換するように配されている色変換セクションである。
【００１６】
本発明の他の実施例によれば、前記色変換ユニットは、回転周波数によって回転させられるべき回転振動子として設計され、特に、少なくとも一方が色変換セクションである少なくとも２つの扇形セクションを有しているカラーホイールとして設計される。回転振動子（特にカラーホイール）の有利な点は、自身の表面上における空気の境界層により前記照明装置のため冷却ファンとしても機能することにある。更に、冷却ファン要素は、回転振動子の軸に取り付けられることができる。
【００１７】
好ましくは、前記カラーホイールは、１回転ごとに２つ以上の色サイクルを実施する少なくとも４つのセクションを有している。ここで、色サイクルとは、１回転のうちの、前記カラーホイールによって提供される種々の色全てを含む光を発するのに必要とされる部分を意味する。例として、青色光を発する２つのセクションと黄色光を発する２つのセクションとが設けられており、前記セクションが、青色／黄色／青色／黄色の順で配されている場合、前記カラーホイールは、２つのセクション（一方は青色、他方は黄色）のみが設けられているカラーホイールとは対照的に、１回転ごとに２つの色サイクルを実施する。２つのセクション（一方は青色、他方は黄色）のみが設けられているカラーホイールの場合、前記カラーホイールは、１回転ごとに１つの色サイクルのみを実施する。１回転ごとに２つ以上の色サイクルを実現することにより、色破壊効果が減少されることができ、又は、代替的には、前記カラーホイールの必要な回転周波数が、減少されることができる。
【００１８】
本発明の他の有利な実施例によれば、前記カラーホイールの扇形セクション間の接触面には、反射コーティングが設けられている。これは、光ガイドの現象によって生じ得るような、一方のセクションから他方のセクションへの光の漏出を回避する。
【００１９】
本発明の他の実施例によれば、光源の数は、前記カラーホイールの扇形セクションの数に対応しており、前記光源は、前記カラーホイールの扇形セクションの全てを同時に照明するように配されている。このことは、全光束を増大させると共に、得られる光ビームにおける色変化の振幅を減少させることによって色破壊効果を減少させる。
【００２０】
前記カラーホイールは、種々の仕方で生成されることができる。例えば、前記カラーホイールの前記扇形セクションは、貼り付けによって接合されることができる。ポリママトリックスにおける発光有機ダイを使用する場合、前記カラーホイールは、それぞれのダイを含んでいるポリマを１つの小型の形状に一緒に成形することによって製造されることもできる。
【００２１】
本発明の他の実施例によれば、前記色変換ユニットは、振動周波数によって振動されるべき線形振動子として設計される。前記線形振動子は、ピエゾアクチュエータ又はソレノイドを含み得る。
【００２２】
前記照明装置の光源は、連続的に発光する源であっても良い。これは、パルス光源であっても良い。後者の場合、前記照明装置は、好ましくは、所望の濃淡の色を生成するように、前記光源のパルスパターンを前記色変換ユニット（例えば、前記カラーホイール）の交流周波数と同期させるように配されている電子制御ユニットを有している。
【００２３】
本特許出願の他の見地は、青色又は紫外光を発する少なくとも１つの光源と前記青色又は紫外光を可視光に変換する色変換ユニットとを有する有色光を生成する方法であって、前記色変換ユニットは、少なくとも２つのセクションを有しており、前記少なくとも２つのセクションのうちの少なくとも１つのセクションは、色変換セクションであり、少なくとも１つの前記色変換セクションは、ポリママトリックスにおける発光有機ダイ又は結晶無機発光材料である発光材料を含んでいる方法において、前記少なくとも２つのセクションは、青色又は紫外光によって交互に照明される、方法である。
【００２４】
本発明による方法の実施例によれば、前記光源は、パルス光源であって、前記パルス光源のパルスパターンは、所望の濃淡の色を生成するために、前記色変換ユニットの交流周波数と同期され、前記色変換ユニットの前記交流周波数が前記パルス光源のパルスパターンに適応化されている、又は前記パルス光源のパルスパターンが前記色変換ユニットの交流周波数に適応化されている。
【００２５】
本特許出願の他の見地は、請求項１の照明装置の、汎用照明、又は医療、芸術若しくは写真の用途のための色調整可能な光源としての使用である。ＵＶ光を含む光を供給する照明装置は、蛍光効果が望まれる照明の目的のために使用されることができる。本特許出願の他の見地は、投影装置における請求項１の照明の使用である。
【００２６】
本特許出願の更に他の見地は、ＵＶ光源を持っている請求項１の照明装置を、肌の傷及び肌の疾患（特に、乾癬）の治療のための手段として使用することである。
【発明を実施するための最良の形態】
【００２７】
本特許出願のこれらの及び他の見地は、以下の特徴を参照して明らかになり説明されるであろう。
【００２８】
図１ａは、光源及び光変換ユニットを有する本発明による照明装置の側面図を示している。現在、光源は青色ＬＥＤ１として設計されている。しかしながら、当該発明は、ＬＥＤに限定されるものではない。前記光源は、青色発光レーザー（例えば、青色半導体レーザー又はＡｒＦ＊レーザー）又はガス放電ランプとして設計されることもできる。色変換ユニットは、現在、モータ（図示略）によって駆動されるカラーホイール２として設計され、回転周波数によってカラーホイールを回転させることができる。他の実施例において、前記回転周波数は、前記照明装置の使用の間に変化されることができる。しかし、何らかの他の適切な回転として設計されることもできる。
【００２９】
カラーホイール２は、現在、２つの色変換扇形セクション２ａ、２ｂ及び透明セクション２ｃを有している。色変換扇形セクション２ａ、２ｂ各々は、発光有機ダイを含んでいるポリママトリックスを有している。好ましくは、前記発光有機ダイは、ペリレンテトラ炭酸に基づいたダイである。扇形セクション２ａの有機ダイは、ＬＥＤ１によって発せられた青色光を赤色光に変換するのに対し、扇形セクション２ｂの有機ダイは、青色光を緑色光に変換する。代替的な、色変換セクション２ａ、２ｂ各々は、透明又は半透明セラミック体に焼結された、結晶無機発光材料を有していても良い。前記青色光を緑色光に変換する扇形セクション２ｂの場合において、前記無機発光材料は、ＳｒＳｉ２Ｏ２Ｎ２：Ｅｕ及び／又はＬｕＡＧ：Ｃｅであっても良い。前記青色光を赤色光に変換する扇形セクション２ｂは、結晶無機発光材料としてＣａＳ：Ｅｕ及び/又はＣａＡｌＳｉＮ３：Ｅｕを含んでいても良い。扇形セクション２ｃは、ガラス又は透明ポリマ（例えば、ポリカーボネート）のような、透明材料からできている。好ましくは、カラーホイール２の扇形セクション２ａ、２ｂ、２ｃの間の接触面は、反射性コーティングを備えている。それぞれの扇形セクションの間に反射性コーティングを使用することによって、クロスオーバー効果が、確実に回避される。
【００３０】
前記ＬＥＤの青色光をそれぞれ赤又は緑色光に変換する２つの色変換扇形セクション２ａ、２ｂと青色光に対して完全に透明な透明セクションとを持っているカラーホイール２は、フルカラーの色サイクルをまかなうものであり、従って、複数の表示機又は照明用途のために使用されることができる。
【００３１】
図１ａの照明装置は、ＬＥＤ１の駆動電流とカラーホイール２の回転周波数とを制御する電子駆動ユニット（図示略）を更に有している。例えば、ＬＥＤ１は、パルス光ビームを発するようにパルス駆動電流によって駆動される。前記パルスの長さ及び前記パルスの周波数は、人間の視覚の慣性及び波長依存感度を考慮に入れて、前記カラーホイールの後ろから得られる光ビームが白色光を生じるような仕方で、前記回転周波数に適応化されることができる。例えば、ホイール２の透明扇形セクション２ｃを通過するパルスのパルス長を増加させることによって、色の印象は、青色に向かって容易にずらされることができる。前記色の印象は、個々の扇形セクションの角度の程度を変更することによって制御されることもできることを理解されたい。
【００３２】
本発明による照明装置の、他の実施例において（図示略）、前記光源は、紫外発光ＬＥＤ又はＵＶレーザー（例えば、ＫｒＦ＊レーザー）として設計されても良い。この場合において、カラーホイール２の透明セクション２ｃは、例えば、前記レーザーのパルスＵＶ光を青色光に変換する色変換セクションと取り替えられるべきであることを理解されたい。
【００３３】
図２は、図１ｂのカラーホイールの他の実施例の上面図を示している。
【００３４】
図１ｂのカラーホイール２とは対照的に、カラーホイール３は、青色光を赤色光に変換する２つの色変換セクション３ａ、３ｄと、青色光を緑色光に変換する２つの色変換セクション３ｂ、３ｅと、２つの透明セクション３ｃ、３ｆとを有している。従って、カラーホイール３は、１回転当たり２つの色サイクルをまかなっている。このことは、破壊効果が、強く減少されるか、又は、代替的には、前記カラーホイールの必要な回転周波数が減少されることができるという有利な点を有する。図１ｂのカラーホイール２の場合のように、カラーホイール３の扇形セクション３ａ−３ｆ間の接触面は、好ましくは、反射性コーティングによって覆われている。
【００３５】
図３ａは、本発明による照明装置の他の実施例の上面図を示している。
【００３６】
図３ａの照明装置は、各々青色光を発する３つの異なるＬＥＤ１ａ、１ｂ、１ｃを有している。図３ａの照明装置は、３つの扇形セクション２ａ、２ｂ、２ｃを有しているカラーホイール２を更に有している。扇形セクション２ａ、２ｂは、前記青色光をそれぞれ赤色光又は緑色光に変換するように設計されているのに対し、扇形セクション２ｃは、青色光に対して完全に透明である。青色ＬＥＤ１ａ、１ｂ、１ｃは、それぞれ、カラーホイール２の３つの扇形セクション２ａ、２ｂ、２ｃを同時に照明するように、１２０°の角距離において互いから離間されている。これにより、全光束を増大させることができる一方で、得られる光ビームにおける色の変化の振幅を減少させることにより、色破壊効果を減少させることができる。
【００３７】
図４は、線形振動子によって駆動される色変換ユニットを特徴付けている本発明による照明装置の側面図を示している。
【００３８】
詳細には、図４の照明装置は、光源としての青色ＬＥＤ４と、３つの色変換セクション６ａ、６ｂ、６ｃ及び透明セクション６ｄを自身の一部として有している色変換ユニット５とを有している。図１乃至３のカラーホイールとは対照的に、色変換ユニット５のセクション６ａ−６ｄは、線形配置において互いに隣接して配されている。更に、色変換ユニット５は、振動周波数によって色変換ユニット５を駆動するために機械的共振子６に結合されている。１振動あたりに２つ以上の色サイクルを実現することによって、前記変換ユニットの種々のセクションから発せられた光の更に均一な色の印象が、得られる。代替的には、前記振動周波数は、より高い周波数におけるより少ない数の色変換セクションによって得られるものと同じ色の印象を得るために増大された数の色変換セクション６a−６dによって、減少されることができる。現在、機械的共振子６は、交流電源に結合されている電磁アクチュエータ（ソレノイド）７によって刺激されている。
【００３９】
ソレノイド７によって刺激された場合、機械的共振子と、この共振子６に結合されている色変換ユニット５とは、ＬＥＤ４によって発せられる青色光が、
色変換セクション６ａ、６ｂ、６ｃ及び透明セクション６ｄを連続的に照明するように、線形振動運動を行う。カラーホイールのような、色変換ユニット５は、異なる色の速い系列を生成し、人間の視覚の慣性によって色の混合として知覚される。
【００４０】
図５は、線形の振動子によって駆動される異なる色変換ユニットを特徴付けている他の照明装置の側面図を示している。
【００４１】
図４の照明装置とは対照的に、機械的共振子６'は、振動周波数によって色変換ユニット５を駆動するようにピエゾアクチュエータ８によって刺激される。ピエゾアクチュエータ８は、交流電圧源に接続されている。
【００４２】
本発明の好適実施例に適用された本発明の基本的で新規なフィーチャが、示されて記載され指摘されたが、上述の装置及び方法の形態及び詳細における様々な省略、置換及び変更は、本発明の精神から逸脱することなく、当業者によってなされることができると理解されるであろう。例えば、同じ結果を達成するための実質的に同じ仕方における実質的に同じ機能を実施する要素及び／又は方法のステップの全ての組み合わせは、本発明の範囲内にあるものと明確に意図されているものである。更に、本発明の如何なる開示された形態又は実施例と関連して示された及び／又は記載された構造、要素及び／又は方法のステップは、設計選択の一般的な事項として、何らかの他の開示された、記載された又は提案された形態又は実施例に組み込まれることができると認識されたい。従って、本発明は、本特許出願に添付されている特許請求の範囲によって示されているようにのみ、限定され得るものであると考えている。如何なる符号も、前記特許請求の範囲を限定するものとして構成されるべきでないと認識されなければならない。
【図面の簡単な説明】
【００４３】
【図１ａ】光源と回転可能な振動子を持つ色変換ユニットとを有する本発明による照明装置の側面図を示している。
【図１ｂ】光源と回転可能な振動子を持つ色変換ユニットとを有する本発明による照明装置の上面図を示している。
【図２】図1の回転可能な振動子の他の実施例の上面図を示している。
【図３ａ】３つの光源を特徴としている図１の照明装置の他の実施例の上面図を示している。
【図３ｂ】３つの光源を特徴としている図１の照明装置の他の実施例の斜視図を示している。
【図４】光源と線形振動子を持っている色変換ユニットとを有する本発明による照明装置の側面図を示している。
【図５】前記線形振動子の他の実施例を特徴としている図４の照明装置の側面図を示している。
【図１ａ】
0005451382.tif 000002
【図１ｂ】
0005451382.tif 000003
【図２】
0005451382.tif 000004
【図３ａ】
0005451382.tif 000005
【図３ｂ】
0005451382.tif 000006
【図４】
0005451382.tif 000007
【図５】
0005451382.tif 000008